(57)【要約】【課題】セキュリティを十分に確保し、印刷できる情報量を増やすことができる画像形成装置を提供する。【解決手段】画像形成装置１は、用紙３に所望の画像を形成するにあたって、用紙３に対して、画像における文字形成領域の裏面濃度と文字形成領域を包含する下地領域の裏面濃度とが同じになるように、予め決められた文字形成領域のインク量に対する下地領域のインク量を可変制御する。【選択図】図１
2012218367.tif 000002
【特許請求の範囲】
【請求項１】
記録媒体に所望の画像を形成する画像形成装置において、
表面に前記画像が形成された記録媒体における文字形成領域の裏面濃度と該文字形成領域を包含する下地領域の裏面濃度とが略同一になるように、予め決められた前記文字形成領域のインク量に対する前記下地領域のインク量を可変制御する制御部を備えたことを特徴とする画像形成装置。
【請求項２】
前記制御部は、前記文字形成領域の文字色の少なくとも彩度を変更した色を前記下地領域の下地色として決定することを特徴とする請求項１記載の画像形成装置。
【請求項３】
前記記録媒体の裏面が該記録媒体の表面と反対色相のインク色となることを特徴とする請求項１記載の画像形成装置。
【請求項４】
前記制御部は、文字色が複数種類のときに、前記記録媒体の裏面濃度が一番濃い文字色に合わせて前記下地領域の下地色を決定することを特徴とする請求項１記載の画像形成装置。
【請求項５】
前記記録媒体が用紙であり、
印刷する用紙の紙質、坪量、色などの用紙情報と、温度や湿度などの環境情報と、色、種類、材料、成分比などのインク情報とから得られる前記文字形成領域のインク量と前記下地領域のインク量の対応関係とをインク制御条件として記憶する記憶部を備え、
前記制御部は、前記インク制御条件に基づいて前記文字形成領域及び前記下地領域のインク量を制御することを特徴とする請求項１記載の画像形成装置。
【発明の詳細な説明】
【技術分野】
【０００１】
本発明は、インク浸透性を有する記録媒体に所望の画像を形成する画像形成装置に関するものである。
【背景技術】
【０００２】
用紙の表面に親展情報（例えば宛名本人のプライバシーに関わる情報など）を印刷し、用紙の裏面に周期的又は不規則な模様を印字することにより、用紙表面の親展情報を紙面の裏面側から見えなくするセキュリティ技術が従来より知られている。
【０００３】
ここで、上述したセキュリティ技術を用いた従来技術としては、例えば下記特許文献１に開示される親展書類包装用紙が知られている。この親展書類包装用紙では、不規則的なパターンによる模様や規則的なパターンが所定の密度で配置された模様により、親展書類上の文字や画像パターンが荒らされ、視認性を低下させ、機密性を保持している。
【先行技術文献】
【特許文献】
【０００４】
【特許文献１】特開平６−２６８８７８号公報
【発明の概要】
【発明が解決しようとする課題】
【０００５】
しかしながら、上述した特許文献１に開示される従来技術では、レーザープリンタに代表される電子写真方式を用いた場合であっても、記録媒体としての用紙の裏面への印刷が必要不可欠であり、用紙の表面のみの印刷ではセキュリティを確保することができなかった。しかも、情報を用紙の表面にしか乗せることができず、用紙に印刷できる情報量が少なくなってしまうという課題があった。
【０００６】
そこで、本発明は上記問題点に鑑みてなされたものであり、セキュリティを十分に確保し、印刷できる情報量を増やすことができる画像形成装置を提供することを目的とするものである。
【課題を解決するための手段】
【０００７】
上記した目的を達成するため、請求項１に記載された画像形成装置は、記録媒体に所望の画像を形成する画像形成装置において、
表面に前記画像が形成された記録媒体における文字形成領域の裏面濃度と該文字形成領域を包含する下地領域の裏面濃度とが略同一になるように、予め決められた前記文字形成領域のインク量に対する前記下地領域のインク量を可変制御する制御部を備えたことを特徴とする。
【０００８】
請求項２に記載された画像形成装置は、請求項１の画像形成装置において、
前記制御部は、前記文字形成領域の文字色の少なくとも彩度を変更した色を前記下地領域の下地色として決定することを特徴とする。
【０００９】
請求項３に記載された画像形成装置は、請求項１の画像形成装置において、
前記記録媒体の裏面が該記録媒体の表面と反対色相のインク色となることを特徴とする。
【００１０】
請求項４に記載された画像形成装置は、請求項１の画像形成装置において、
前記制御部は、文字色が複数種類のときに、前記記録媒体の裏面濃度が一番濃い文字色に合わせて前記下地領域の下地色を決定することを特徴とする。
【００１１】
請求項５に記載された画像形成装置は、請求項１の画像形成装置において、
前記記録媒体が用紙であり、
印刷する用紙の紙質、坪量、色などの用紙情報と、温度や湿度などの環境情報と、色、種類、材料、成分比などのインク情報とから得られる前記文字形成領域のインク量と前記下地領域のインク量の対応関係とをインク制御条件として記憶する記憶部を備え、
前記制御部は、前記インク制御条件に基づいて前記文字形成領域及び前記下地領域のインク量を制御することを特徴とする。
【発明の効果】
【００１２】
本発明によれば、文字形成領域のインク量に対する下地領域のインク量を可変制御して画像形成するので、記録媒体の裏面に画像形成することなく、片面の画像形成のみでセキリティを十分に確保でき、記録媒体の裏面を有効活用して画像形成できる情報量を増やすことができる。
【００１３】
インク量の違いによる浸透差を利用し、記録媒体の裏面からの文字情報の読取を防止した画像形成を簡便に行うことができる。しかも、インクの特性である浸透性を利用しているので、記録媒体として用紙を用いた場合には、浸透し易い坪量の小さい用紙に対しても実用に耐えうる画像形成を行うことができる。
【００１４】
文字形成領域の文字色の少なくとも彩度を変更した色として下地領域の下地色を決定すれば、記録媒体の裏面からの文字の視認性を低下させることができる。
【００１５】
記録媒体の裏面を記録媒体の表面と反対色相のインク色にすれば、記録媒体の裏面からの文字の視認性がさらに低下し、より機密性を高めることができる。
【００１６】
文字色が複数種類のときに、記録媒体の裏面濃度が一番濃い文字色に合わせて下地領域の下地色を決定すれば、文字形成領域の全ての文字の視認性が低下し、セキュリティを十分に確保することができる。この際、各文字色同士の明度差が大きいと裏面から文字を視認できる場合も想定されるため、各文字色同士の明度差が０に近づくように各文字色を変換するように処理しても良い。
【図面の簡単な説明】
【００１７】
【図１】本発明に係る画像形成装置におけるインク量と濃度の関係の一例を示す図である。
【図２】本発明に係る画像形成装置の全体構成の一例を示す概略図である。
【図３】本発明に係る画像形成装置の電気的構成を示すブロック図である。
【図４】本発明に係る画像形成装置を用いた画像形成方法の処理手順の一例を示すフローチャート図である。
【図５】（ａ），（ｂ）  本発明における下地領域の決定方法の一例を示す図である。
【図６】本発明によるインクの組み合わせの具体例を示す図である。
【図７】本発明によるインクの組み合わせの他の具体例を示す図である。
【図８】本発明によるインクの組み合わせの他の具体例を示す図である。
【発明を実施するための形態】
【００１８】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例及び運用技術などはすべて本発明の範疇に含まれる。
【００１９】
図１は本発明に係る画像形成装置におけるインク量と濃度の関係の一例を示す図、図２は同画像形成装置の全体構成の一例を示す概略図、図３は同画像形成装置の電気的構成を示すブロック図、図４は同画像形成装置を用いた画像形成方法の処理手順の一例を示すフローチャート図、図５（ａ），（ｂ）は本発明での下地領域の決定方法の一例を示す図、図６〜図８は本発明によるインクの組み合わせの具体例を示す図である。
【００２０】
（インク量と用紙に印字した際の濃度との関係の説明）
本発明に係る画像形成装置は、鋭意研究を重ねた実験結果から図１に示すインク量と用紙に印字した際の濃度（Ｏ．Ｄ値という）との関係を導き、この関係から得られるインクの特性を利用したものである。
【００２１】
まず、本発明の実施の形態を説明するにあたって、図１を参照しながらインク量と用紙に印字した際の濃度との関係について説明する。
【００２２】
図１はインクジェットインクとして、インク溶剤の蒸発がし難い油性インクを用い、用紙には表面に溶剤などによる加工（マット紙加工）が施されていない用紙（坪量６２ｇ／ｍ2 ）を用いたときの結果である。
【００２３】
上述した条件において、インク量と用紙に印字した際の濃度をグラフ上にプロットしていくと、その結果として、図１に示すようなグラフが得られた。図１では、用紙の表面にインクを吐出した際の表面のインク濃度と、用紙を裏面から見た際の表面のインクの裏面の濃度がそれぞれプロットされている。
【００２４】
図１からも判るように、用紙の表面濃度に関しては、インクの量を増量していったときに、ある一定値で飽和してしまう。これに対し、用紙の裏面濃度に関しては、グラフの範囲においてインク量の増加とともに上昇していく傾向にある。
【００２５】
このように、インクジェットインクには、インク量を増量しても用紙の表面の濃度は一定値で飽和してしまうが、用紙の裏面へ浸透したインクの濃度は増加し続ける特徴がある。そして、インクジェットインクを用いた印刷では、電子写真方式を用いた印刷に比べ、インクに含まれる溶剤の紙面への浸透の影響により、用紙の表面の画像が裏面側に透けて見える特徴がある。
【００２６】
本発明に係る画像形成装置では、上述した図１に示すインクの特性を利用し、文字形成領域のインク量は一定であるが、下地領域のインク量を可変制御（増量又は減量）することで裏面濃度に差が無くなることを利用したものである。この結果、用紙の表面における文字の視認性はそのままに、用紙の裏面から見た際の表面の情報の読み取りができないようにしている。
【００２７】
（画像形成装置の概略構成に関する説明）
図２に示すように、画像形成装置１は、装置の各部を収納する筐体２の内部や側面等に、記録媒体としての用紙３が収納可能な給紙部４を備えている。図２における給紙部４は、筐体２の側面に取り付けられる給紙トレイＰ（Ｐ１）と、筐体２の内部に設けられる複数段の給紙トレイＰ（Ｐ２〜Ｐ４）から構成される。給紙台Ｐ１には、所定サイズの枚葉状の用紙３が収納される。また、給紙台Ｐ２〜Ｐ４には、複数種類のサイズの枚葉状の用紙３が収納される。
【００２８】
これら給紙トレイＰから給紙される用紙３は、導入路からループ状の搬送路５に送り込まれて搬送され、搬送路５の下半部に沿って下向きに所定間隔で配置された画像形成部６によって画像が形成される。
【００２９】
この画像形成部６の下流の隣部におけるループ状の搬送路５には、ほぼ水平な方向で用紙３をループ外に排出する第１の排出路７が分岐して設けられている。また、ループ状の搬送路５の上半部には、用紙３をループ外に排出する第２の排出路８が分岐して設けられている。さらに、第２の排出路８と給紙台Ｐからの導入路との間にはスイッチバック路９が分岐して設けられている。このスイッチバック路９は、搬送路５を搬送されてきた用紙３を受け入れた後に逆行させて搬送路５に戻すことにより、搬送路５中における用紙３の上下を反転させる手段である。このスイッチバック路９を用い、用紙３の上下面を逆転させて搬送路５を２回通過させれば、インクジェットヘッドＣ、Ｋ、Ｍ、Ｙで用紙３の上下両面にカラー画像を形成するカラー両面印刷を行なうことができる。
【００３０】
（画像形成装置の電気的構成に関する説明）
図３に示すように、画像形成装置１は、上述した給紙部４、画像形成部６に加え、原稿読取部１１、排紙部１２、操作表示部１３、記憶部１４、制御部１５を備えている。
【００３１】
原稿読取部１１は、制御部１５の制御に基づき、例えば透明なガラス等よりなる原稿台上に載置された原稿の画像や、原稿台に設けられた原稿自動送り装置（ＡＤＦ：Auto Document Feeder）により給紙される原稿から画像を読み取り、読み取った画像に対応する画像情報を制御部１５に出力するユニットである。
【００３２】
給紙部４は、制御部１５の制御に基づき、用紙３を積載して収納する給紙トレイＰ（Ｐ１〜Ｐ４）から所定サイズの用紙３を１枚ずつ取り出し、搬送路５に沿って規制しながら所定の給紙タイミングで画像形成部６に用紙３を供給するユニットである。
【００３３】
画像形成部６は、シアン、ブラック、マゼンタ、イエローの各色のインクをそれぞれ吐出する４つのインクジェットヘッドＣ、Ｋ、Ｍ、Ｙを備え、制御部１５の制御に基づき給紙部４から供給された用紙３を搬送しながら所望の画像を印刷するユニットである。
【００３４】
排紙部１２は、制御部１５の制御に基づく画像形成部６による印刷が終了し、第１の排出路７又は第２の排出路８から排紙された印刷済みの用紙３を不図示の整合手段により整合しながら排紙トレイ上に載置するユニットである。
【００３５】
操作表示部１３は、液晶ディスプレイ等の表示パネルと、利用者が操作する各種操作キー（方向指示キー、テンキー、設定キー等）とで構成され、例えば用紙３のサイズ、印刷枚数、文字形成領域の色選択、文字形成領域の濃度、印刷動作の開始・停止の指示などの印刷に関わる各種操作・設定を行っている。また、操作表示部１３は、後述する画像形成処理を実行するための機密書類作成モードを利用者が必要に応じて選択切り替えできるようになっている。
【００３６】
記憶部１４は、例えば書き換え可能なＲＯＭやＲＡＭ等の半導体メモリやＨＤＤ等で構成され、デフォルト時（装置起動時）における文字形成領域のインク量、下地領域のインク量制御条件、印刷時における給紙・画像形成・排紙等に係る各種制御情報、画像形成装置１の駆動に関する各種データ等を記憶している。
【００３７】
なお、上記下地領域のインク量制御条件は、例えば図１に示すインク量と用紙に印字した際の濃度との関係より、予め設定される文字形成領域のインク量に対する下地領域のインク量を決めるものである。このインク量制御条件は、用紙３を劣化させない実用的なインク量範囲内において、印刷する用紙３の紙質、坪量、色などの用紙情報と、温度や湿度などの環境情報と、色、種類（油性、水性）、材料、成分比などのインク情報とから図１に示すようなグラフを実験的に求め、このグラフに基づいて文字形成領域のインク量に対する下地領域のインク量の対応関係をテーブル化したデータとして記憶部１４に記憶される。例えば図１のグラフにおいて、予め決められた文字形成領域のインク量１００％（図１中の●）に対して、下地領域のインク量１５０％（図１中の×）が対応付けされている。
【００３８】
制御部１５は、例えばＣＰＵやＲＯＭ、ＲＡＭ等で構成されたマイクロコンピュータであり、原稿を読み取る際の原稿読取部１１に係る制御、用紙３を画像形成部６に搬送する際の給紙部４に係る制御、印刷をする際の画像形成部６に係る制御、印刷後の用紙３を排紙する際の排紙部１２に係る制御、操作表示部１３における表示／通知内容の表示制御やキー操作に伴う各部の制御等、画像形成装置１を構成する各部の駆動制御を行っている。
【００３９】
制御部１５は、後述する画像形成処理を実行するための構成として、図３に示すように、画像情報取得手段１５ａ、変換処理手段１５ｂ、文字形成領域抽出手段１５ｃ、下地領域決定手段１５ｄ、下地色決定手段１５ｅ、インク量制御手段１５ｆを備えている。
【００４０】
画像情報取得手段１５ａは、操作表示部１３からの操作に基づく制御部１５の制御により、原稿読取部１１が読み込んで記憶部１４に記憶した画像情報を取得するか、又は画像形成装置１に通信用インターフェースを介して接続される不図示の外部の端末装置から画像情報を取得している。なお、取得される画像情報には、インク量（ドロップ数）の情報が含まれる場合もある。
【００４１】
変換処理手段１５ｂは、画像情報取得手段１５ａが取得した画像情報がＲＧＢデータかＣＭＹＫデータのいずれであるかを判別し、ＲＧＢデータと判別したときに、このＲＧＢデータを色変換してＣＭＹＫデータに変換処理している。
【００４２】
文字形成領域抽出手段１５ｃは、画像情報取得手段１５ａからのＣＭＹＫデータ、又は変換処理手段１５ｂで変換処理されたＣＭＹＫデータから文字形成領域（文字、写真などの印刷の元になる情報がある領域）を抽出している。
【００４３】
下地領域決定手段１５ｄは、用紙３を裏面から見たときに表面の文字情報を読取不能にするための下地領域（但し、文字形成領域の文字情報部分を除く）を決定している。この下地領域は、文字形成領域抽出手段１５ｃで抽出された文字形成領域の全体を十分にカバーするように矩形状に切り出した領域（図５（ａ））、文字形成領域抽出手段１５ｃで抽出された各文字形成領域毎に文字形成領域を十分にカバーするように矩形状に切り出した領域（図５（ｂ））、用紙３の全体領域の何れかを操作表示部１３から選択することで決定される。なお、切り出しパターン（形状）に関しては、文字形成領域を十分にカバーすればよく、矩形状に限定されるものではない。例えば、予め複数種類の切り出しパターン（形状）を記憶部１４に記憶させておき、操作表示部１３からの設定により切り出しパターン（形状）を選択することも可能である。
【００４４】
下地色決定手段１５ｅは、下地領域決定手段１５ｄで決定された下地領域に対し、文字形成領域の文字色やその文字色の明度と彩度に基づいて適切な下地色を決定している。下地色決定手段１５ｅは、用紙３の両面印刷を行うときに、裏面の下地色を表面の下地色の反対色相にしている。下地色は、文字色の明度と彩度のうち明度差はそのままで彩度差のみをつけて行うのが好ましいが、文字と下地の区別がつきやすくするため、明度差もつけるようにしても良い。
【００４５】
また、文字色が複数種類の場合には、用紙の裏面濃度が一番濃い文字色に合わせて下地色が決定される。さらに、操作表示部１３に候補となる複数の下地色を表示させておき、利用者が適宜選択設定するようにしても良い。
【００４６】
インク量制御手段１５ｆは、文字形成領域の裏面濃度と下地領域の裏面濃度とが同じ（略同一）になるように、文字形成領域のインク量に対する下地領域のインク量を可変制御している。例えば図１において、文字形成領域をデフォルト設定されたインク量（例えば図１のインク量１００％）で制御し、下地領域をインク量制御条件に従って可変（増量又は減量）制御している。
【００４７】
なお、図２及び図３に示す画像形成装置１を構成する各構成要件は一例であり、本発明の画像形成装置１の構成を限定するものではない。
【００４８】
（画像形成処理に関する説明）
次に、上記構成による画像形成装置１を用いた画像形成処理について図４のフローチャートを参照しながら説明する。
【００４９】
利用者が操作表示部１３から機密書類作成モードを選択すると、印刷に必要な画像情報を画像情報取得手段１５ａが取得する（ＳＴ１）。次に、変換処理手段１５ｂは、画像情報取得手段１５ａが取得した画像情報がＲＧＢデータかＣＭＹＫデータかを判別する（ＳＴ２）。そして、取得した画像情報がＲＧＢデータであると判別すると、入力画像に対して色変換を行い（ＳＴ３）、ＣＭＹＫデータに変換する。
【００５０】
続いて、文字形成領域抽出手段１５ｃは、ＣＭＹＫデータから文字形成領域を抽出する（ＳＴ４）。文字形成領域は、文字がある部分を含む一定の面積として抽出する。その後、下地領域決定手段１５ｄは、用紙３を裏面から見たときに表面の文字情報を読取不能にするための文字形成領域を含む下地領域を決定する（ＳＴ５）。例えば図５（ａ）に示すように、文字情報全体を含む文字形成領域全体を十分にカバーするような長方形に切り出し、この長方形に切り出した部分（但し、文字形成領域の文字情報部分を除く）を下地領域とする。
【００５１】
次に、下地色決定手段１５ｅは、文字形成領域の文字色やその文字色の明度と彩度に基づいて適切な下地色を決定する（ＳＴ６）。例えば文字形成領域の文字色の明度と彩度のうち、明度差はそのままとし、彩度差のみをつけて下地色を決定する。以上のようにして、文字形成領域が抽出され、下地領域及び下地色が決定されると、文字形成領域と下地領域のインク量を可変制御し（ＳＴ７）、印刷処理を行う。この印刷処理で文字形成領域と下地領域の同時印刷を行うにあたって、インク量制御手段１５ｆは、文字形成領域の裏面濃度と下地領域の裏面濃度とが同じ（略同一）になるように、予め決められた文字形成領域のインク量に対する下地領域のインク量を可変制御する。例えば図１において、デフォルト時の文字形成領域のインク量が１００％（図１中の●）の場合、下地領域のインク量を１５０％（図１中の×）に可変制御する。これにより、文字形成領域（文字情報）の裏面濃度と下地領域の裏面濃度とが同じ（略同一）になり、用紙３の裏面からは表面の情報が判別できない。
【００５２】
（画像形成処理におけるインクの組み合わせの具体例の説明）
図６は本例の画像形成装置１によって用紙３に片面印刷する際のインクの組み合わせの一例を示している。画像形成装置１におけるカラープロファイル上で、用紙３の表面の文字形成領域のＬａｂ空間における座標を（３６，２，−２）にする。これに対し、文字形成領域と同一面の下地領域のＬａｂ空間における座標を（３９，０，−２８）にする。すなわち、文字色に対する下地色として、明度差が少なく、彩度差を変えた色を選択する。これにより、用紙３の裏面からは表面の情報が判別できず、用紙３の裏面からの視認性を悪くすることができる。しかも、用紙３の表面のみの片面印刷で実施できるので、用紙３の裏面を有効活用でき、セキュリティを十分に確保しつつ、印刷できる情報量を増やすことができる。
【００５３】
以上説明したように、本例の画像形成装置によれば、以下に示すような効果を奏する。
【００５４】
（１）インクに含有される溶剤の特性（図１に示すグラフの特性）を利用し、用紙３の文字形成領域のインク量に対する下地領域のインク量を可変制御して印刷するので、用紙（記録媒体）３の裏面に印刷することなく、片面印刷のみでセキリティを十分に確保でき、用紙３の裏面を有効活用して印刷できる情報量を増やすことができる。
【００５５】
（２）インクジェットインクのインク量の違いによる浸透差を利用しているので、用紙３の裏面からの文字情報の読取を防止した画像形成による親展書類を、一連の印刷処理（１パスの印刷処理）により必要なときに簡便に作成することができる。
【００５６】
（３）インクジェットインクの特性である浸透性を利用しているので、浸透し易い坪量の小さい用紙３に対しても実用に耐えうる画像形成を行うことができる。
【００５７】
（４）文字色が複数種類の場合には、用紙３の裏面濃度が一番濃い文字色に合わせて下地色を決定するので、文字形成領域の全ての文字の視認性を低下させ、セキュリティを十分に確保することができる。
【００５８】
（５）操作表示部１３から機密書類作成モードを選択すれば、セキュリティを確保した画像形成を自動的に実行することができる。
【００５９】
ところで、上述した実施の形態では、用紙３（白紙）の片面（表面）のみに印刷した場合について説明したが、上述した用紙３の片面（表面）の印刷に加え、用紙３の裏面にインクでマスクを施せば、さらに文字の視認性が低下し、より機密性を高めることができる。以下に、具体的なインクの組み合わせについて説明する。
【００６０】
図７は本例の画像形成装置１によって用紙３に両面印刷する際のインクの組み合わせの一例を示している。図７に示すように、用紙３の表面の下地領域に青色、用紙３の裏面の下地領域に薄い黄色を用いると、減法混色により用紙３の裏面から見た際にグレーに見える。この結果、用紙４の裏面からの視認性を悪くすることができる。また、用紙３の裏面を利用することができる。
【００６１】
図８は本例の画像形成装置によって用紙３に両面印刷する際のインクの組み合わせの他の例を示している。図８に示すように、インクの色として、用紙３の表面の下地領域に黄みの緑色、文字形成領域に青みの緑色を用い、用紙３の裏面の下地領域に文字形成領域に近い同系統色である緑色を用いると、用紙３の表面からの視認性はそのままに、用紙３の裏面からの視認性を低下させることができる。これは、明度が高い色において、彩度差をつけることにより文字形成領域と下地領域の境界があいまいになる効果と、用紙３の裏面に同色の色を用いることで用紙３の裏面からの視認性を低下させることによるものである。この場合においても、用紙３の裏面を利用することができる。
【００６２】
なお、図７や図８に示すように、用紙３の裏面にマスクを施す場合には、用紙３の裏面を印刷領域として利用できるように、マスクのインク色が選択される。
【００６３】
ところで、上述した実施の形態では、用紙３（白紙）を記録媒体として説明しているが、用紙３に限定されるものではなく、インク浸透性を有するものであれば記録媒体として用いることができる。
【符号の説明】
【００６４】
１  画像形成装置
２  筐体
３  用紙（記録媒体）
４  給紙部
５  搬送路
６  画像形成部
７  第１の排出路
８  第２の排出路
９  スイッチバック路
１１  原稿読取部
１２  排紙部
１３  操作表示部
１４  記憶部
１５  制御部
１５ａ  画像情報取得手段
１５ｂ  変換処理手段
１５ｃ  文字形成領域抽出手段
１５ｄ  下地領域決定手段
１５ｅ  下地色決定手段
１５ｆ  インク量制御手段
【図１】
2012218367.tif 000003
【図２】
2012218367.tif 000004
【図３】
2012218367.tif 000005
【図４】
2012218367.tif 000006
【図５】
2012218367.tif 000007
【図６】
2012218367.tif 000008
【図７】
2012218367.tif 000009
【図８】
2012218367.tif 000010